(57)【要約】  発光素子（有機ＥＬ素子（４０３））を含む画素が行列状に配置された表示パネル（４）の寿命特性の検査方法であって、複数の画素から構成される第１の点灯領域（１１０）を設定する第１ステップと、第１の点灯領域（１１０）に隣接するすべての画素を含む消灯領域（２００）を設定する第２ステップと、第１の点灯領域（１１０）及び消灯領域（２００）のいずれにも含まれない複数の画素から構成される第２の点灯領域（１２０）を設定する第３ステップと、消灯領域（２００）の画素を点灯させることなく、第１の点灯領域（１１０）の画素と第２の点灯領域（１２０）の画素とを相異なる輝度で点灯させて、表示パネル（４）の寿命特性を検査する第４ステップとを含む。
2015140864.tif 000002
【特許請求の範囲】
【請求項１】
発光素子を含む画素が行列状に配置された表示パネルの寿命特性の検査方法であって、
複数の前記画素から構成される第１の点灯領域を設定する第１ステップと、
前記第１の点灯領域に隣接するすべての前記画素を含む消灯領域を設定する第２ステップと、
前記第１の点灯領域及び前記消灯領域のいずれにも含まれない複数の前記画素から構成される第２の点灯領域を設定する第３ステップと、
前記消灯領域の前記画素を点灯させることなく、前記第１の点灯領域の前記画素と前記第２の点灯領域の前記画素とを相異なる輝度で点灯させて、表示パネルの寿命特性を検査する第４ステップと、を含む
表示パネルの寿命特性の検査方法。
【請求項２】
前記第１ステップにおいて、前記表示パネルのすべての前記画素に同一の電力を供給して点灯させ、前記画素の輝度を測定することによって、輝度が所定の範囲内にある前記画素から構成される領域である均一領域を特定し、前記第１の点灯領域を前記均一領域内に設定し、
前記第３ステップにおいて、前記第２の点灯領域を、前記均一領域内に設定する
請求項１に記載の表示パネルの寿命特性の検査方法。
【請求項３】
前記第２ステップにおいて、前記第１の点灯領域の前記画素を点灯させない状態から、点灯させる状態へと移行させた場合の、前記第１の点灯領域の周辺における前記画素の上昇温度値を測定し、前記上昇温度値が所定の値以上と測定されたすべての前記画素を前記消灯領域に含む
請求項１又は２に記載の表示パネルの寿命特性の検査方法。
【請求項４】
前記第４ステップにおいて、前記第１の点灯領域の前記画素を前記第２の点灯領域の前記画素より高輝度で点灯させる
請求項３に記載の表示パネルの寿命特性の検査方法。
【請求項５】
発光素子を含む画素が行列状に配置された表示パネルの製造方法であって、
前記表示パネルを製造する製造工程と、
前記製造工程において製造された前記表示パネルの寿命特性を、請求項１〜４のいずれか１項に記載の検査方法によって検査する検査工程と、
前記検査工程において、所定の寿命特性が得られなかった場合に、前記製造工程における前記表示パネルの製造に係るパラメータを調整する調整工程と、を含み、
前記検査工程において、前記所定の寿命特性が得られるまで、前記調整工程と、前記製造工程と、前記検査工程と、を繰り返す
表示パネルの製造方法。
【発明の詳細な説明】
【技術分野】
【０００１】
本開示は、表示パネルの寿命特性の検査方法及び表示パネルの製造方法に関する。
【背景技術】
【０００２】
特許文献１は、有機エレクトロルミネッセンス（ＥＬ）表示装置に用いられる有機ＥＬ素子の寿命特性の検査方法を開示する。この検査方法は、少なくとも二つの異なる温度で、有機ＥＬ素子のフォトルミネセンス強度を検出し、その比から有機ＥＬ素子の寿命特性を検査する方法である。上記検査方法によれば、エイジング試験を行うことなく有機ＥＬ素子の寿命特性を検査することができる。
【先行技術文献】
【特許文献】
【０００３】
【特許文献１】国際公開第２００５／１２２７０２号
【発明の概要】
【発明が解決しようとする課題】
【０００４】
本開示は、表示装置における表示パネルの寿命特性の検査を精度よく行うことができる検査方法を提供する。
【課題を解決するための手段】
【０００５】
本開示における表示パネルの寿命特性の検査方法は、発光素子を含む画素が行列状に配置された表示パネルの寿命特性の検査方法であって、複数の画素から構成される第１の点灯領域を設定する第１ステップと、第１の点灯領域に隣接するすべての画素を含む消灯領域を設定する第２ステップと、第１の点灯領域及び消灯領域のいずれにも含まれない複数の画素から構成される第２の点灯領域を設定する第３ステップと、消灯領域の画素を点灯させることなく、第１の点灯領域の画素と第２の点灯領域の画素とを相異なる輝度で点灯させて、表示パネルの寿命特性を検査する第４ステップと、を含む。
【発明の効果】
【０００６】
本開示における表示パネルの寿命特性の検査方法は、寿命特性の検査を精度よく行うのに有効である。
【図面の簡単な説明】
【０００７】
【図１】図１は、実施の形態１に係る検査方法を実施するための検査システムの構成例を示すブロック図である。
【図２】図２は、表示パネルの構成を示すブロック図である。
【図３】図３は、画素の回路構成の一例及びその周辺回路との接続を表す図である。
【図４】図４は、表示パネルのすべての画素に同一の電力を供給して点灯させた場合の輝度分布と点灯領域の配置とを示す概略図である。
【図５】図５は、表示パネル内の点灯領域を拡大して示す図である。
【図６】図６は、表示パネル内の第１の点灯領域及び消灯領域を拡大して示す図である。
【図７】図７は、実施の形態１に係る検査方法の手順を示すフローチャートである。
【図８】図８は、実施の形態２に係る製造方法の手順を示すフローチャートである。
【図９】図９は、表示パネルのすべての画素に同一の電力を供給して点灯させた場合の輝度分布と点灯領域の配置とを示す概略図である。
【図１０】図１０は、表示パネル内の点灯領域を拡大して示す図である。
【図１１】図１１は、実施の形態２に係る製造方法を用いて製造された薄型フラットＴＶの外観図である。
【発明を実施するための形態】
【０００８】
（本開示の基礎となった知見）
特許文献１に開示された検査方法は、有機ＥＬ素子単体の寿命特性の簡易検査を短時間で行う場合には有効である。しかしながら、有機ＥＬ素子を含む画素が行列状に配置された表示パネル全体の寿命特性を精度よく検査する場合には、エイジング試験が適している。
【０００９】
上記表示パネルの寿命特性をエイジング試験により検査する方法を説明する。
【００１０】
まず、寿命特性の検査において留意すべき事項について説明する。
【００１１】
有機ＥＬ素子を含む画素の寿命は、点灯させる際の輝度に依存することから、表示パネルの寿命特性の輝度依存性を検査するためには、複数の輝度で寿命特性の検査を行う必要がある。
【００１２】
また、精度よく寿命特性を取得するために、多数の画素を点灯させて、画素の寿命特性の平均値が求められる。
【００１３】
さらに、上記表示パネルの寿命特性を検査する場合に、画素の輝度と駆動電流値とから光変換効率も測定することができる。しかしながら、単一画素に流れる駆動電流値は、微弱であるため、当該光変換効率を精度よく測定するためには、多数の画素に駆動電流を流して駆動電流値の総和を測定することによって、駆動電流値の平均値を求める必要がある。
【００１４】
以上の事項を考慮して、寿命特性の検査においては、それぞれ複数の画素を含む複数の点灯領域が設定され、点灯領域の画素を点灯させて、各点灯領域の寿命特性が取得される。
【００１５】
次に、表示パネルにおいて、複数の点灯領域を設定する方法を図９及び図１０を用いて説明する。
【００１６】
図９は、検査対象である表示パネルのすべての画素に同一の電力を供給して点灯させた場合の輝度分布と点灯領域の配置とを示す概略図である。
【００１７】
図１０は、表示パネル内の点灯領域を拡大して示す図である。
【００１８】
図９に示されるように、一般に、表示パネル４においては、全画素に同一の電力を供給しても、各画素の輝度は、同一にはならない。なお、この輝度のばらつきは、各画素内の有機ＥＬ素子の特性のばらつき、各有機ＥＬ素子に設けられる駆動回路の特性のばらつきなどによって生じる。
【００１９】
したがって、表示パネル４において複数の点灯領域を設定して寿命特性を検査する場合、点灯領域における各画素の特性のばらつきを抑制するために、図９に示される各画素の輝度が所定の範囲内にある領域内に、点灯領域を設定する必要がある。図９に示される例においては、画素の輝度が所定の範囲内にある領域である均一領域４０内に、第１の点灯領域１１０、第２の点灯領域１２０、第３の点灯領域１３０及び第４の点灯領域１４０が互いに隣接するように設定される。図９に示される例においては、各点灯領域は、それぞれ、縦１５０画素、横１５０画素の正方形状の領域である。そして、寿命特性を検査する際には、各点灯領域の画素を、点灯領域毎に異なる輝度で連続的に点灯させて、例えば、輝度が半分に劣化するまでに要する点灯持続時間などを測定する。
【００２０】
上述の検査方法において、以下に述べるような、検査の正確性を低下させる要因があることを発明者は見出した。上述の検査方法においては、各点灯領域が隣接しているため、点灯領域の寿命特性が、隣接する他の点灯領域において発生する熱の影響を受ける。例えば、点灯領域の寿命特性は、高輝度で点灯する他の点灯領域に隣接する場合と、低輝度で点灯する他の点灯領域に隣接する場合とでは異なる。したがって、上記検査方法によっては、点灯領域の寿命特性が、隣接する他の点灯領域において発生する熱の影響を受けるため、精度よく寿命特性を測定することができないという問題がある。
【００２１】
本開示は、このような知見に基づいてなされたものであり、精度よく寿命特性を検査できる検査方法についての着想を得た。
【００２２】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００２３】
なお、発明者は、当業者が本開示を十分に理解するために添付図面及び以下の説明を提供するのであって、これらによって請求の範囲に記載の主題を限定することを意図するものではない。
【００２４】
（実施の形態１）
以下、実施の形態１に係る検査方法について、図面を参照しながら説明する。
【００２５】
［１−１．検査システムの構成］
まず、本実施の形態に係る検査方法を実施するための検査システムについて説明する。
【００２６】
図１は、本実施の形態に係る検査方法を実施するための検査システムの構成例を示すブロック図である。図１に示されるように、当該検査システムは、検査対象である表示パネル４と、有機ＥＬ表示パネル検査装置１とで構成される。有機ＥＬ表示パネル検査装置１は、表示パネル４に行列状に配置された画素の輝度及び温度を検査する装置であり、制御部１０と、カメラ２０と、記憶部３０と、サーモグラフィ５０とを備える。制御部１０は、カメラ制御回路１１と、表示パネル制御回路１２と、演算部１３とを備える。
【００２７】
カメラ２０は、例えばＣＣＤ（Ｃｈａｒｇｅ  Ｃｏｕｐｌｅｄ  Ｄｅｖｉｃｅ）カメラであり、表示パネル４を撮像する撮像装置である。カメラ２０は、行列状に配置された複数の撮像素子が配置された撮像領域を含み、当該複数の撮像素子に入射光を集光させる撮像レンズと、当該撮像レンズへの入射光の採光及び遮光を決定するシャッタとを有している。上記構成により、カメラ２０は、表示パネル４に行列状に配置された画素から出射される光を、撮像レンズを介して撮像領域に入射する。複数の撮像素子のそれぞれは、入射光を当該入射光の光量に対応した電荷量に変換する。なお、表示パネル４の中心軸と撮像レンズの中心軸とが一致するよう、表示パネル４とカメラ２０とが位置調整されている。これにより、例えば、撮像領域の中央部に配置された撮像素子は、表示パネル４の中央部に配置された画素からの出射光を受光し当該出射光に対応した電荷量を生成する。撮像領域の外周部に配置された撮像素子は、表示パネル４の外周部に配置された画素からの出射光を受光し当該出射光に対応した電荷量を生成する。
【００２８】
カメラ制御回路１１は、カメラ２０のシャッタの開閉をさせるカメラ制御部である。
【００２９】
サーモグラフィ５０は、表示パネル４における各画素の温度を測定するための温度測定部である。サーモグラフィ５０で測定された各画素の温度情報は、表示パネル制御回路１２に送られ、表示パネル４における各画素の点灯及び消灯の制御に用いられる。
【００３０】
表示パネル制御回路１２は、表示パネル４の画素の点灯及び消灯を制御する表示パネル制御部である。表示パネル制御回路１２は、サーモグラフィ５０で測定された各画素の温度情報及び各画素の輝度情報に基づいて制御される。
【００３１】
演算部１３は、カメラ２０で撮像された撮像データから、輝度測定の対象画素のそれぞれの輝度値を求める。
【００３２】
記憶部３０は、演算部１３で求められた輝度データを記憶するメモリである。なお、記憶部３０は、制御部１０に内蔵されたメモリであってもよい。
【００３３】
［１−２．表示パネルの構成］
ここで、本実施の形態に係る検査方法の検査対象である表示パネル４の構成について説明する。
【００３４】
図２は、表示パネル４の構成を示すブロック図である。図２に示されるように、表示パネル４は、表示部４１と、走査線駆動回路４２と、データ線駆動回路４３とを備える。
【００３５】
表示部４１は、有機ＥＬ素子と当該有機ＥＬ素子を駆動する駆動素子とを含む画素が行列状に配置された表示領域である。
【００３６】
走査線駆動回路４２は、画素行ごとに配置された走査線を介して、階調データに対応したデータ電圧の書き込みを行う画素行を選択する。
【００３７】
データ線駆動回路４３は、画素列ごとに配置されたデータ線を介して、選択された画素行に属する画素にデータ電圧を出力する。
【００３８】
図３は、画素の回路構成の一例及びその周辺回路との接続を表す図である。図３に示される画素４００は、走査線４１０と、データ線４２０と、電源線４３０と、選択トランジスタ４０１と、駆動トランジスタ４０２と、有機ＥＬ素子４０３と、保持容量素子４０４と、共通電極４０５とを備える。また、周辺回路は、走査線駆動回路４２と、データ線駆動回路４３とで構成されている。
【００３９】
走査線駆動回路４２は、走査線４１０に接続されており、画素４００の選択トランジスタ４０１の導通及び非導通を制御する機能を有する。
【００４０】
データ線駆動回路４３は、データ線４２０に接続されており、データ電圧を出力して、駆動トランジスタ４０２に流れる信号電流を決定する機能を有する。
【００４１】
選択トランジスタ４０１は、ゲートが走査線４１０に接続されており、データ線４２０のデータ電圧を駆動トランジスタ４０２のゲートに供給するタイミングを制御する機能を有する。
【００４２】
駆動トランジスタ４０２は、駆動素子として機能し、駆動トランジスタ４０２のゲートは選択トランジスタ４０１を介してデータ線４２０に接続され、ソースが有機ＥＬ素子４０３のアノードに接続され、ドレインが電源線４３０に接続されている。これにより、駆動トランジスタ４０２は、ゲートに供給されたデータ電圧を、当該データ電圧に対応した信号電流に変換し、変換された信号電流を有機ＥＬ素子４０３に供給する。
【００４３】
有機ＥＬ素子４０３は、発光素子として機能し、有機ＥＬ素子４０３のカソードは、共通電極４０５に接続されている。
【００４４】
保持容量素子４０４は、電源線４３０と駆動トランジスタ４０２のゲート端子との間に接続されている。保持容量素子４０４は、例えば、選択トランジスタ４０１がオフ状態となった後も、直前のゲート電圧を維持し、継続して駆動トランジスタ４０２から有機ＥＬ素子４０３へ駆動電流を供給させる機能を有する。
【００４５】
なお、図３には記載されていないが、電源線４３０は電源（電圧ＶＡ）に接続されている。また、共通電極４０５も別の電源（電圧ＶＢ）に接続されている。
【００４６】
データ線駆動回路４３から供給されたデータ電圧は、選択トランジスタ４０１を介して駆動トランジスタ４０２のゲート端子へと印加される。駆動トランジスタ４０２は、そのデータ電圧に応じた電流を、ソース−ドレイン端子間に流す。この電流が、有機ＥＬ素子４０３へと流れることにより、その電流に応じた発光輝度で、有機ＥＬ素子４０３が発光する。
【００４７】
なお、表示パネル４がカラー表示用のパネルである場合には、上記画素４００は、サブ画素として使用される。例えば、三原色表示用の三つの隣接するサブ画素が一組の画素として使用される。
【００４８】
［１−３．表示パネルの検査方法］
次に、本実施の形態に係る検査方法を説明する。
【００４９】
［１−３−１．点灯領域設定方法］
本実施の形態に係る検査方法において、表示パネル４の画素のうち、点灯させる画素から構成される領域である点灯領域の設定方法を図４及び図５を用いて説明する。
【００５０】
図４は、本実施の形態に係る検査方法の検査対象である表示パネル４のすべての画素に同一の電力を供給して点灯させた場合の輝度分布と点灯領域の配置とを示す概略図である。
【００５１】
図５は、表示パネル４内の点灯領域を拡大して示す図である。
【００５２】
図４に示されるように、表示パネル４においては、全画素に同一の電力を供給しても、各画素の特性が同一でないため、各画素の輝度は同一にならない（図９に関して上述した事項を参照）。したがって、表示パネル４において複数の点灯領域を設定して寿命特性を検査する場合、点灯領域の各画素の特性を揃えるために、輝度が所定の範囲内にある画素から構成される領域内に、点灯領域を設定する必要がある。ここで、点灯領域が設定される領域における画素の輝度の範囲は、特に限定されないが、例えば、所定の輝度の±５％以内の輝度の範囲を採用することができる。
【００５３】
図４に示される例においては、画素の輝度が所定の範囲内にある領域である均一領域４０内に、第１の点灯領域１１０、第２の点灯領域１２０、第３の点灯領域１３０及び第４の点灯領域１４０の四つの点灯領域が設定される。本実施の形態に係る検査方法においては、上記各点灯領域は、それぞれ、縦１５０画素、横１５０画素の正方形状の領域である。
【００５４】
ここで、本実施の形態の検査方法においては、図４及び図５に示されるように、各点灯領域間に３０画素分の幅を有する消灯領域を設定している。これにより、各点灯領域の画素を点灯させた場合に、各点灯領域に与えられる他の点灯領域からの熱の影響が抑制される。したがって、上記各点灯領域を用いて寿命特性を検査する場合に、精度よく検査を行うことができる。
【００５５】
また、図４及び図５に示される各点灯領域の画素は、それぞれ点灯領域毎に異なる輝度で点灯される。本実施の形態の検査方法においては、一例として、第１の点灯領域１１０、第２の点灯領域１２０、第３の点灯領域１３０及び第４の点灯領域１４０内の各画素の輝度を、それぞれ、４５０［ｃｄ／ｍ２］、２００［ｃｄ／ｍ２］、１００［ｃｄ／ｍ２］及び６８［ｃｄ／ｍ２］に設定する。
【００５６】
次に、上記各点灯領域間の点灯しない画素を含む領域である消灯領域の設定方法を、図６を用いて説明する。
【００５７】
図６は、表示パネル４における第１の点灯領域１１０及び消灯領域２００を拡大して示す図である。
【００５８】
図６に示される第１の点灯領域１１０の各画素を４５０［ｃｄ／ｍ２］の輝度で点灯させる場合に設定される消灯領域２００の設定方法を説明する。
【００５９】
まず、少なくとも、第１の点灯領域１１０に隣接するすべての画素を含む領域が消灯領域２００に設定される。さらに、第１の点灯領域１１０の画素を点灯させない状態から、４５０［ｃｄ／ｍ２］の輝度で点灯させる状態へと移行させて、第１の点灯領域１１０の周辺における画素の上昇温度値を測定し、当該上昇温度値が所定の値以上と測定されたすべての画素が含まれる領域が消灯領域２００に設定される。当該上昇温度値の臨界値は、特に限定されないが、例えば、５℃と設定することができる。本実施の形態に係る検査方法においては、第１の点灯領域１１０から、３０画素分の幅を有する領域が消灯領域２００として設定される。
【００６０】
また、消灯領域２００は第１の点灯領域１１０以外の点灯領域の周囲においても、第１の点灯領域１１０と同様に設定できる。なお、最も高輝度で点灯させる第１の点灯領域１１０において消灯領域２００を設定し、他の点灯領域においても、当該点灯領域の周囲に、第１の点灯領域１１０の周囲に設定される消灯領域２００と同じ画素分の幅を有する消灯領域を設定してもよい。なぜなら、最も高輝度で点灯される第１の点灯領域１１０による周囲の画素への熱の影響は、他の点灯領域による周囲の画素への熱の影響より大きくなるため、他の点灯領域においても第１の点灯領域と同じ画素分の幅の消灯領域を設定することで、隣り合う点灯領域への熱の影響を確実に抑制することができるからである。また、例えば、高輝度で点灯する第１の点灯領域１１０と低輝度で点灯する第２の点灯領域１２０だけを用いる場合には、第１の点灯領域１１０において、上述の消灯領域２００を設定し、第１の点灯領域１１０及び消灯領域２００のいずれにも含まれない複数の画素から構成される第２の点灯領域１２０を設定することによって各点灯領域間の熱の影響を確実に抑制することができる。
【００６１】
［１−３−２．検査の内容］
次に、上述のように設定された点灯領域の画素を点灯させて、表示パネル４の寿命特性を検査する際の具体的な作業内容を説明する。
【００６２】
まず、表示パネル４に設定された各点灯領域の画素を、それぞれ点灯領域毎に異なる輝度で点灯させる。その際、各画素の輝度は図１に示されるカメラ２０を用いて測定することができる。
【００６３】
そして、各点灯領域の画素を連続的に点灯させながら、少なくとも各画素の輝度値を測定する。これにより輝度の劣化速度を取得する。また、さらに、各画素に供給される駆動電流値などを測定してもよい。これにより各画素における光変換効率の経時変化などの特性を取得することができる。
【００６４】
［１−３−３．検査方法の手順］
以上で述べた本実施の形態に係る検査方法の手順を、図７を用いて説明する。
【００６５】
図７は、本実施の形態に係る検査方法の手順を示すフローチャートである。
【００６６】
本実施の形態に係る検査方法においては、まず、表示パネル４の全画素に同一の電力（又は駆動電流）を供給して、表示パネル４の全体を点灯させる。そして、各画素の輝度を測定することにより、図４に示されるような均一領域４０が特定される（Ｓ１）。次に特定された均一領域４０内に、複数の画素から構成される第１の点灯領域１１０が設定される（Ｓ２）。そして、設定された第１の点灯領域１１０を表示パネル制御回路１２によって点灯させた状態で、図１に示されるサーモグラフィ５０によって、第１の点灯領域１１０の周辺の温度が測定される（Ｓ３）。この測定結果を用いて、上述のとおり、第１の点灯領域１１０に隣接する全ての画素を含む消灯領域２００が設定される（Ｓ４）。そして、設定された第１の点灯領域１１０及び消灯領域２００のいずれにも含まれない複数の画素から構成される第２の点灯領域１２０が設定される（Ｓ５）。ここで、第１の点灯領域１１０及び第２の点灯領域１２０の画素を、表示パネル制御回路１２によって、点灯領域毎に異なる輝度で点灯させた状態で、カメラ２０によって輝度が測定される（Ｓ６）。なお、ここで、各画素の駆動電流値、色度などが合わせて測定されてもよい。次に、測定された各画素の輝度値などから、寿命特性が取得される（Ｓ７）。
【００６７】
以上のような手順によって、表示パネル４の寿命特性を精度よく取得することができる。
【００６８】
なお、以上では、第１の点灯領域１１０及び第２の点灯領域１２０を用いる手順を示したが、第１の点灯領域１１０及び第２の点灯領域１２０に加えて、さらに点灯領域を追加してもよい。例えば、第３の点灯領域１３０を設定する場合には、第２の点灯領域１２０の周囲にも第１の点灯領域１１０の場合と同様に消灯領域２００を設定して、第１の点灯領域１１０、第２の点灯領域１２０及び消灯領域２００のいずれにも含まれない複数の画素から構成される第３の点灯領域１３０を設定する。さらに、第４の点灯領域１４０を設定する場合も同様である。
【００６９】
［１−４．効果など］
以上のように、本実施の形態に係る表示パネル４の検査方法は、複数の画素から構成される第１の点灯領域１１０を設定する第１ステップと、第１の点灯領域１１０に隣接するすべての画素を含む消灯領域２００を設定する第２ステップと、第１の点灯領域１１０及び消灯領域２００のいずれにも含まれない複数の画素から構成される第２の点灯領域１２０を設定する第３ステップと、消灯領域２００の画素を点灯させることなく、第１の点灯領域１１０の画素と第２の点灯領域１２０の画素とを相異なる輝度で点灯させて、表示パネル４の寿命特性を検査する第４ステップと、を含む。
【００７０】
これにより、第１の点灯領域１１０から発生する熱の第２の点灯領域１２０への影響が抑制されるため、各点灯領域において寿命特性を精度よく検査することができる。
【００７１】
また、本実施の形態に係る表示パネル４の検査方法において、上記第１ステップにおいて、表示パネル４のすべての画素に同一の電力を供給して点灯させ、画素の輝度を測定することによって、輝度が所定の範囲内にある画素から構成される領域である均一領域４０を特定し、第１の点灯領域１１０を均一領域４０内に設定し、上記第３ステップにおいて、第２の点灯領域１２０を、均一領域４０内に設定してもよい。
【００７２】
これにより、各点灯領域に含まれる画素の特性を揃えることができるため、点灯領域内の各画素間の寿命特性のばらつきを抑制することができる。
【００７３】
また、本実施の形態に係る表示パネル４の検査方法において、上記第２ステップにおいて、第１の点灯領域１１０の画素を点灯させない状態から、点灯させる状態へと移行させた場合の、第１の点灯領域１１０の周辺における画素の上昇温度値を測定し、上昇温度値が所定の値以上と測定されたすべての画素を消灯領域２００に含んでもよい。
【００７４】
これにより、第１の点灯領域１１０から発生する熱の第２の点灯領域１２０へ影響をより確実に抑制することができる。したがって、各点灯領域において寿命特性を精度よく検査することができる。
【００７５】
また、本実施の形態に係る表示パネル４の検査方法において、上記第４ステップにおいて、第１の点灯領域１１０の画素を第２の点灯領域１２０の画素より高輝度で点灯させてもよい。
【００７６】
これにより、第１の点灯領域１１０から発生する熱量が、第２の点灯領域１２０から発生する熱量より大きくなる。したがって、第１の点灯領域１１０から発生する熱の第２の点灯領域１２０への影響を抑制することで、第２の点灯領域１２０から発生する熱の第１の点灯領域１１０への影響も抑制することができるため、各点灯領域において寿命特性を精度よく検査することができる。
【００７７】
（実施の形態２）
［２−１．製造方法の手順］
次に、実施の形態２として、上述の実施の形態１に係る検査方法を表示パネル４の製造過程に採用する製造方法を、図８を用いて説明する。
【００７８】
図８は、本実施の形態に係る表示パネル４の製造方法の工程を示すフローチャートである。
【００７９】
図８に示されるように、本実施の形態に係る表示パネル４の製造方法においては、まず、製造工程において、表示パネル４が所定の製造に係るパラメータに基づいて製造される（Ｓ２１）。ここで、上記製造に係るパラメータとは、表示パネル４の画素を構成する有機ＥＬ素子、回路などの製造に係るパラメータであり、例えば、有機ＥＬ素子の材料組成、薄膜トランジスタなどから構成される回路の形成工程における成膜条件などが含まれる。
【００８０】
次に、検査工程において、上記製造工程で製造された複数の表示パネル４のうち、一部がサンプルとして抜き取られ、その寿命特性が実施の形態１で説明された検査方法を用いて検査される（Ｓ２２）。
【００８１】
ここで、上記検査工程において、所定の寿命特性が得られれば、上記パラメータが適切であったと判断され、表示パネル４の製造を終了する（Ｓ２３でＹｅｓ）。一方、上記検査工程において、所定の寿命特性が得られなければ、上記パラメータが不適切であったと判断され、上記パラメータを調整する調整工程に進む（Ｓ２３でＮｏ）。
【００８２】
調整工程においては、検査工程において得られた寿命特性に基づいて、表示パネル４の製造に係るパラメータが調整される（Ｓ２４）。例えば、寿命特性から、調整すべきパラメータが推測され、適宜調整される。
【００８３】
上記調整工程において、パラメータが調整された後、再度製造工程に戻り、表示パネル４が製造されて、製造された表示パネル４の寿命特性が検査工程において検査される。そして、それ以降は、所定の寿命特性が得られるまで、調整工程と、製造工程と、検査工程とが繰り返される。
【００８４】
以上の製造方法により、所定の寿命特性を有する表示パネル４を製造することができる。
【００８５】
［２−２．効果など］
以上のように、本実施の形態に係る表示パネル４の製造方法は、表示パネル４を製造する製造工程と、製造工程において製造された表示パネル４の寿命特性を、実施の形態１に係る検査方法によって検査する検査工程と、検査工程において、所定の寿命特性が得られなかった場合に、製造工程における表示パネル４の製造に関するパラメータを調整する調整工程と、を含み、検査工程において、所定の寿命特性が得られるまで、前記調整工程と、前記製造工程と、検査工程とを繰り返す。
【００８６】
これにより、製造された表示パネル４の寿命特性が、実施の形態１に係る検査方法により精度よく検査される。そして、所定の寿命特性を有する表示パネル４が得られるまで、表示パネル４の製造に係るパラメータが調整されるため、確実に、所定の寿命特性を有する表示パネル４が得られる。
【００８７】
（他の実施の形態）
以上、実施の形態１に係る検査方法及び実施の形態２に係る製造方法について説明したが、本開示の検査方法及び製造方法は、上述した各実施の形態に限定されるものではない。上記各実施の形態に対して、本発明の主旨を逸脱しない範囲で当業者が思いつく各種変形を施して得られる変形例や、実施の形態２に係る製造方法を用いて製造した表示パネルも本発明に含まれる。
【００８８】
例えば、上記実施の形態１では、温度測定部の一例としてサーモグラフィ５０を用いる構成を示したが、温度測定部はこれに限られず、表示パネル４の各画素の温度を測定できるものであればよい。ただし、温度測定部として、サーモグラフィ５０を採用すると、表示パネル４に接することなく、表示パネル４の広範囲の温度測定を一度に行うことができる。また、温度測定部として、熱電対などの接触型の温度測定器を用いてもよい。熱電対を用いることで安価に温度測定を行うことができる。
【００８９】
また、上記実施の形態１に係る検査方法の検査対象として、有機ＥＬ素子から構成される発光素子を用いる表示パネル４を示したが、検査対象は、有機ＥＬ素子以外の発光素子を用いた表示パネルであってもよい。検査対象としては、画素の寿命特性が当該画素の周辺の画素からの熱によって影響され得る任意の表示パネルが採用され得る。
【００９０】
また、例えば、上記実施の形態２に係る製造方法は、図１１に示されるような薄型フラットＴＶに適用される。上記実施の形態２に係る製造方法を用いることにより、所定の寿命特性を有する表示パネルを備えた薄型フラットＴＶが実現される。
【産業上の利用可能性】
【００９１】
本開示に係る表示パネルの検査方法及び製造方法は、例えば、有機ＥＬ表示パネルなどの検査方法及び製造方法に利用することができる。
【符号の説明】
【００９２】
１  有機ＥＬ表示パネル検査装置
４  表示パネル
１０  制御部
１１  カメラ制御回路
１２  表示パネル制御回路
１３  演算部
２０  カメラ
３０  記憶部
４０  均一領域
４１  表示部
４２  走査線駆動回路
４３  データ線駆動回路
５０  サーモグラフィ
１１０  第１の点灯領域
１２０  第２の点灯領域
１３０  第３の点灯領域
１４０  第４の点灯領域
２００  消灯領域
４００  画素
４０１  選択トランジスタ
４０２  駆動トランジスタ
４０３  有機ＥＬ素子
４０４  保持容量素子
４０５  共通電極
４１０  走査線
４２０  データ線
４３０  電源線
【図１】
2015140864.tif 000003
【図２】
2015140864.tif 000004
【図３】
2015140864.tif 000005
【図４】
2015140864.tif 000006
【図５】
2015140864.tif 000007
【図６】
2015140864.tif 000008
【図７】
2015140864.tif 000009
【図８】
2015140864.tif 000010
【図９】
2015140864.tif 000011
【図１０】
2015140864.tif 000012
【図１１】
2015140864.tif 000013
【国際調査報告】
2015140864.tif 000014
2015140864.tif 000015